【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  下記一般式（１）で表され、Ｎ−Ｍ−Ｙ−Ｚの２面角（即ち２つの環のねじれ角）が９度以上９０度未満である金属錯体を発光層に含有することを特徴とする有機エレクトロルミネッセンス素子。
【化１】
2003109758.tif 000001
［式中、Ｎは窒素原子、Ｃは炭素原子を表し、Ｘは炭素原子、窒素原子または酸素原子を表し、Ｍは炭素原子または窒素原子を表し、Ｙは炭素原子または窒素原子を表し、Ｚは炭素原子または窒素原子を表し、ＡはＸ−Ｍ−Ｎと共に５〜６員の複素環を形成するのに必要な原子群を表し、ＢはＣ−Ｙ−Ｚと共に５〜６員の炭化水素環または複素環を形成するのに必要な原子群を表す。また、２つの環はそれぞれ独立に置換基を有していても良く、隣接する置換基同士でさらに縮合環を形成してもよい。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項２】  下記一般式（３）で表される金属錯体を発光層に含有することを特徴とする有機エレクトロルミネッセンス素子。
【化Ａ】
2003109758.tif 000002
［式中、Ｎは窒素原子、Ｃは炭素原子を表し、Ｘは炭素原子、窒素原子又は酸素原子を表し、Ｍは炭素原子または窒素原子を表し、Ｙは炭素原子または窒素原子を表し、Ｚは炭素原子または窒素原子を表し、Ｔは炭素原子または窒素原子を表し、ＡはＸ−Ｍ−Ｎと共に５〜６員の複素環を形成するのに必要な原子群を表し、Ｂ2はＣ−Ｙ−Ｚ−Ｔと共に５〜６員の炭化水素環または複素環を形成するのに必要な原子群を表し、Ｂ3はＺ−Ｔと共に５〜６員の炭化水素環または複素環を形成するのに必要な原子群を表す。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項３】  下記一般式（４）で表される金属錯体を発光層に含有することを特徴とする有機エレクトロルミネッセンス素子。
【化Ｂ】
2003109758.tif 000003
［式中、Ｎは窒素原子、Ｃは炭素原子を表し、Ｘは炭素原子、窒素原子、酸素原子または硫黄原子を表し、Ｍは炭素原子または窒素原子を表し、Ｙは炭素原子または窒素原子を表し、Ｚは炭素原子または窒素原子を表し、ＡはＸ−Ｍ−Ｎと共に５〜６員の芳香族複素環を形成するのに必要な原子群を表し、ＢはＣ−Ｙ−Ｚと共に５〜６員の芳香族炭化水素環または芳香族複素環を形成するのに必要な原子群を表す。ただし、Ｘ−Ｍ−ＮとＡで形成される芳香族複素環およびＣ−Ｙ−ＺとＢで形成される芳香族炭化水素環または芳香族複素環は少なくとも１つの置換基で置換されており、かつ、該置換基のσｐ値の総和は０．１５以上２以下である。ＥＷＧ１およびＥＷＧ２はそれぞれ独立にハメットに置換基定数σｐ値が０以上の電子吸引性基を表し、σｐ値の総和は０．１５以上２以下である。Ｓ１は０〜３の整数を表し、Ｓ２は０〜３の整数を表す。ただしＳ１とＳ２の和は１以上５以下である。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項４】  前記一般式（４）において、Ｎ−Ｍ−Ｙ−Ｚの２面角（即ち２つの環のねじれ角）が９度以上９０度未満であることを特徴とする請求項３に記載の有機エレクトロルミネッセンス素子。
【請求項５】  下記一般式（５）で表される金属錯体を発光層に含有することを特徴とする有機エレクトロルミネッセンス素子。
【化Ｃ】
2003109758.tif 000004
［式中、Ｎは窒素原子、Ｘは炭素原子、窒素原子、酸素原子または硫黄原子を表し、Ｍは炭素原子または窒素原子を表し、ＡはＸ−Ｍ−Ｎと共に５〜６員の芳香族複素環を形成するのに必要な原子群を表し、Ｒ61は立体パラメータＥｓ値が−０．６以下の置換基を表し、Ｒ62、Ｒ63及びＲ64は水素原子または置換基を表す。また、Ｘ−Ｍ−ＮとＡとで形成される芳香族複素環は置換基を有していても良く、隣接する置換基同士で縮合環を形成してもよい。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項６】  下記一般式（６）で表される金属錯体を発光層に含有することを特徴とする有機エレクトロルミネッセンス素子。
【化Ｄ】
2003109758.tif 000005
［式中、Ｒ71、Ｒ75は水素原子または置換基を表し、Ｒ71とＲ75の少なくとも一方は置換基を表す。またＲ71とＲ75の立体パラメータＥｓ値の総和は−０．６以下である。Ｒ72、Ｒ73、Ｒ74、Ｒ76、Ｒ77及びＲ78は水素原子または置換基を表す。また、隣接する置換基同士は互いに結合して縮合環を形成してもよい。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項７】  下記一般式（７）で表される金属錯体を発光層に含有することを特徴とする有機エレクトロルミネッセンス素子。
【化Ｅ】
2003109758.tif 000006
［式中、Ａｒは芳香族基を表し、Ｒ81〜Ｒ87は水素原子または置換基を表す。また、隣接する置換基同士は互いに結合して縮合環を形成してもよい。Ｍｅはイリジウムまたはプラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項８】  下記一般式（８）で表される金属錯体を発光層に含有することを特徴とする有機エレクトロルミネッセンス素子。
【化Ｆ】
2003109758.tif 000007
［式中、Ｎは窒素原子、Ｘは炭素原子、窒素原子、酸素原子または硫黄原子を表し、Ｍは炭素原子または窒素原子を表し、ＡはＸ−Ｍ−Ｎと共に５〜６員の芳香族複素環を形成するのに必要な原子群を表し、Ｒ91〜Ｒ94は水素原子または置換基を表す。ただし、Ｒ91〜Ｒ94のそれぞれの置換基のσｐ値の総和は０．１５以上２以下である。また、Ｘ−Ｍ−ＮとＡとで形成される芳香族複素環は置換基を有していても良く、隣接する置換基同士で縮合環を形成してもよい。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項９】  下記一般式（９）で表される金属錯体を発光層に含有することを特徴とする有機エレクトロルミネッセンス素子。
【化Ｇ】
2003109758.tif 000008
［式中、Ｒ101〜Ｒ106は水素原子または置換基を表し、Ｂ10は２つの炭素原子と共に５〜６員の環を形成するのに必要な原子群を表す。また、隣接する置換基同士は互いに結合して縮合環を形成してもよい。Ｍｅはイリジウム、プラチナまたはオスミウムを表す。ｎは１、２、３又は４を表し、ｍは、Ｍｅがイリジウムの時３−ｎを、プラチナの時４−ｎ又は２−ｎを、オスミウムの時２−ｎを表す。Ｗ1は酸素原子、窒素原子または硫黄原子を表し、Ｗ2は酸素原子、窒素原子または硫黄原子を表し、Ｌ1は窒素原子または炭素原子を表し、Ｌ2は窒素原子または酸素原子を表し、ｌは１または２を表す。なお、Ｗ1とＬ1、Ｌ1とＬ2、Ｌ2とＬ2（ｌが２の時）、Ｌ2とＷ2の結合は単結合でも二重結合でもよい。］
【請求項１０】  前記一般式（７）のＡｒで表される芳香族基が、ハメットの置換基定数σｐ値が０．０２以上２以下の電子吸引性基で置換された芳香族炭化水素環基であることを特徴とする請求項７に記載の有機エレクトロルミネッセンス素子。
【請求項１１】  前記一般式（７）のＡｒで表される芳香族基が、ハメットの置換基定数σｐ値が０．０２以上２以下の電子吸引性基で置換された芳香族炭化水素環基であり、かつＲ82で表される置換基がハメットの置換規定数σｐ値が０．０２以上２以下の電子吸引性基であることを特徴とする請求項７に記載の有機エレクトロルミネッセンス素子。
【請求項１２】  前記一般式（９）のＲ101〜Ｒ106で表される置換基の少なくとも１つが、ハメットの置換規定数σｐ値が０．０２以上２以下の電子吸引性基であることを特徴とする請求項９に記載の有機エレクトロルミネッセンス素子。
【手続補正２】
【補正対象書類名】明細書
【補正対象項目名】００２０
【補正方法】削除
【補正の内容】
【手続補正３】
【補正対象書類名】明細書
【補正対象項目名】００２１
【補正方法】変更
【補正の内容】
【００２１】
２．前記一般式（３）で表される金属錯体を発光層に含有することを特徴とする有機エレクトロルミネッセンス素子。
【手続補正４】
【補正対象書類名】明細書
【補正対象項目名】００２２
【補正方法】変更
【補正の内容】
【００２２】
３．前記一般式（４）で表される金属錯体を発光層に含有することを特徴とする有機エレクトロルミネッセンス素子。
【手続補正５】
【補正対象書類名】明細書
【補正対象項目名】００２３
【補正方法】変更
【補正の内容】
【００２３】
４．前記一般式（４）において、Ｎ−Ｍ−Ｙ−Ｚの２面角（即ち２つの環のねじれ角）が９度以上９０度未満であることを特徴とする前記３に記載の有機エレクトロルミネッセンス素子。
【手続補正６】
【補正対象書類名】明細書
【補正対象項目名】００２４
【補正方法】変更
【補正の内容】
【００２４】
５．前記一般式（５）で表される金属錯体を発光層に含有することを特徴とする有機エレクトロルミネッセンス素子。
【手続補正７】
【補正対象書類名】明細書
【補正対象項目名】００２５
【補正方法】変更
【補正の内容】
【００２５】
６．前記一般式（６）で表される金属錯体を発光層に含有することを特徴とする有機エレクトロルミネッセンス素子。
【手続補正８】
【補正対象書類名】明細書
【補正対象項目名】００２６
【補正方法】変更
【補正の内容】
【００２６】
７．前記一般式（７）で表される金属錯体を発光層に含有することを特徴とする有機エレクトロルミネッセンス素子。
【手続補正９】
【補正対象書類名】明細書
【補正対象項目名】００２７
【補正方法】変更
【補正の内容】
【００２７】
８．前記一般式（８）で表される金属錯体を発光層に含有することを特徴とする有機エレクトロルミネッセンス素子。
【手続補正１０】
【補正対象書類名】明細書
【補正対象項目名】００２８
【補正方法】変更
【補正の内容】
【００２８】
９．前記一般式（９）で表される金属錯体を発光層に含有することを特徴とする有機エレクトロルミネッセンス素子。
【手続補正１１】
【補正対象書類名】明細書
【補正対象項目名】００２９
【補正方法】変更
【補正の内容】
【００２９】
１０．前記一般式（７）のＡｒで表される芳香族基が、ハメットの置換基定数σｐ値が０．０２以上２以下の電子吸引性基で置換された芳香族炭化水素環基であることを特徴とする前記７に記載の有機エレクトロルミネッセンス素子。
【手続補正１２】
【補正対象書類名】明細書
【補正対象項目名】００３０
【補正方法】変更
【補正の内容】
【００３０】
１１．前記一般式（７）のＡｒで表される芳香族基が、ハメットの置換基定数σｐ値が０．０２以上２以下の電子吸引性基で置換された芳香族炭化水素環基であり、かつＲ82で表される置換基がハメットの置換規定数σｐ値が０．０２以上２以下の電子吸引性基であることを特徴とする前記７に記載の有機エレクトロルミネッセンス素子。
【手続補正１３】
【補正対象書類名】明細書
【補正対象項目名】００３１
【補正方法】変更
【補正の内容】
【００３１】
１２．前記一般式（９）のＲ101〜Ｒ106で表される置換基の少なくとも１つが、ハメットの置換規定数σｐ値が０．０２以上２以下の電子吸引性基であることを特徴とする前記９に記載の有機エレクトロルミネッセンス素子。
【手続補正１４】
【補正対象書類名】明細書
【補正対象項目名】００３６
【補正方法】変更
【補正の内容】
【００３６】
本発明に用いられる重金属錯体は、一般式（１）、（３）〜（９）で表される。
先ず、一般式（１）で表される化合物について説明する。
【手続補正１５】
【補正対象書類名】明細書
【補正対象項目名】００５０
【補正方法】削除
【補正の内容】
【手続補正１６】
【補正対象書類名】明細書
【補正対象項目名】００５１
【補正方法】削除
【補正の内容】
【手続補正１７】
【補正対象書類名】明細書
【補正対象項目名】００６６
【補正方法】変更
【補正の内容】
【００６６】
一般式（５）で表される金属錯体は、ビアリール配位子を構成する２つの環のうち一方がフェニル基であるものである。即ち、一般式（５）においては、該フェニル基中の他の（ヘテロ）アリール環が結合する位置の隣接位に置換基Ｒ61を有しており、該置換基は前記立体パラメータＥｓ値が−０．６以下であることが好ましい。
【手続補正１８】
【補正対象書類名】明細書
【補正対象項目名】００７１
【補正方法】変更
【補正の内容】
【００７１】
以下に、本発明に係わる前記一般式（１）、（３）〜（９）で表される金属錯体等の具体例を示すが、本発明はこれらのみに限定されるものではない。